(57)【要約】  本発明は、ビットレートスイッチングの経過情報をアクティブな会話フェーズにおいて求めることを着想の基礎としている。本発明によれば、会話フェーズ中、デコーダの側で広帯域のアクティブな音声フレームと狭帯域のアクティブな音声フレームとのパーセンテージ比の情報を収集する。広帯域のアクティブな会話フェーズの割合が大きいのであれば、コーデック側で広帯域の音声フレームの利用が好ましいことが示され、ＤＴＸフェーズのあいだ雑音情報を広帯域で合成しなければならない。
2011512564.tif 000002
【特許請求の範囲】
【請求項１】
スケーラブル音声信号符号化プロセスを用いて背景雑音情報を伝送するためのＳＩＤフレームの復号化方法において、
会話フェーズ中、受信された狭帯域音声フレームに対する受信された広帯域音声フレームの割合を求めるステップ、および、
ＤＴＸフェーズへの移行時に求められた前記割合にしたがってＳＩＤフレームに含まれる背景雑音情報を復号化するステップ
を有する
ことを特徴とするＳＩＤフレームの復号化方法。
【請求項２】
前記受信された広帯域音声フレームの割合が前記受信された狭帯域音声フレームに比べて大きいと識別された場合、前記ＤＴＸフェーズへの移行時に前記背景雑音情報を主として広帯域で復号化する、請求項１記載のＳＩＤフレームの復号化方法。
【請求項３】
前記ＤＴＸフェーズへの移行時に、まず、背景雑音情報を主として狭帯域で復号化し、設定可能な所定の時間が経過した後に、該背景雑音情報を主として広帯域で復号化する、請求項２記載のＳＩＤフレームの復号化方法。
【請求項４】
広帯域での復号化への移行を、広帯域の雑音信号品質と狭帯域の雑音信号品質との比を表す比率係数（ＨＢ‐ＳＨＡＲＥ）によって調整する、請求項３記載のＳＩＤフレームの復号化方法。
【請求項５】
前記比率係数を前記ＤＴＸフェーズへの移行時点で０へ設定する、請求項４記載のＳＩＤフレームの復号化方法。
【請求項６】
前記比率係数を、前記ＤＴＸフェーズへ移行してから１００ｍｓ経過した時点で１へ設定する、請求項４または５記載のＳＩＤフレームの復号化方法。
【請求項７】
前記比率係数を、前記ＤＴＸフェーズへ移行してから２０ｍｓ経過した時点で０．０９５２５９８６８９２２４２へ設定し、４０ｍｓ経過した時点で０．１９７５３０８６４１９７５３へ設定し、６０ｍｓ経過した時点で０．３６５９５０３１２４５２３７へ設定し、８０ｍｓ経過した時点で０．６２４２９５０７６９６９９７へ設定する、請求項４から６までのいずれか１項記載のＳＩＤフレームの復号化方法。
【請求項８】
前記受信された広帯域音声フレームの割合が前記受信された狭帯域音声フレームに比べて小さいと識別された場合、前記ＤＴＸフェーズへの移行時に前記背景雑音情報を主として狭帯域で復号化する、請求項１記載のＳＩＤフレームの復号化方法。
【請求項９】
前記ＤＴＸフェーズへの移行時に、まず、前記背景雑音情報を主として広帯域で復号化し、設定可能な所定の時間が経過した後に、該背景雑音情報を主として狭帯域で復号化する、請求項８記載のＳＩＤフレームの復号化方法。
【請求項１０】
狭帯域での復号化への移行を、広帯域の雑音信号品質と狭帯域の雑音信号品質との比を表す比率係数（ＨＢ‐ＳＨＡＲＥ）によって調整する、請求項９記載のＳＩＤフレームの復号化方法。
【請求項１１】
前記比率係数を前記ＤＴＸフェーズへの移行時点で１へ設定する、請求項１０記載のＳＩＤフレームの復号化方法。
【請求項１２】
前記比率係数を、前記ＤＴＸフェーズへ移行してから１００ｍｓ経過した時点で０へ設定する、請求項１０または１１記載のＳＩＤフレームの復号化方法。
【請求項１３】
前記比率係数を、前記ＤＴＸフェーズへ移行してから２０ｍｓ経過した時点で０．６２４２９５０７６９６９９７へ設定し、４０ｍｓ経過した時点で０．３６５９５０３１２４５２３７へ設定し、６０ｍｓ経過した時点で０．１９７５３０８６４１９７５３へ設定し、８０ｍｓ経過した時点で０．０９５２５９８６８９２２４２へ設定する、請求項１０から１２までのいずれか１項記載のＳＩＤフレームの復号化方法。
【請求項１４】
請求項１から１３までのいずれか１項記載のＳＩＤフレームの復号化方法の各ステップを実行する手段を備えていることを特徴とするコーデック。
【請求項１５】
当該のコーデックはＩＴＵ‐Ｔ規格Ｇ．７２９．１にしたがって構成されている、請求項１４記載のコーデック。
【発明の詳細な説明】
【技術分野】
【０００１】
本発明は、音声信号符号化プロセスにおける背景雑音情報の復号化方法および背景雑音情報の復号化手段に関する。
【０００２】
電話機における対話では、アナログの音声伝送に対して、通信開始から帯域幅の制限が行われる。つまり、音声伝送は制限された周波数帯域３００Ｈｚ〜３４００Ｈｚで行われる。
【０００３】
このように制限された周波数帯域は今日のディジタル通信に対する種々の音声信号符号化プロセスに設けられている。このために符号化過程の前にアナログ信号の帯域幅制限が行われる。符号化および復号化のために、前述した３００Ｈｚ〜３４００Ｈｚの周波数での帯域幅制限を行うコーデックが使用され、これを狭帯域音声コーデック（ナローバンドスピーチコーデック）と称している。コーデックとは、オーディオ信号の再構成を目的とした、オーディオ信号のディジタル符号化プロトコルとデータの復号化プロトコルとの双方を含むものであると理解されたい。
【０００４】
狭帯域音声コーデックは、例えば、ＩＴＵ−Ｔ勧告Ｇ．７２９から公知である。ここに説明されている符号化プロトコルによれば、狭帯域の音声信号の伝送は８ｋｂｉｔ／ｓのデータレートで行われる。
【０００５】
また、聴取の印象を改善するために拡張された周波数領域で符号化を行う、いわゆる広帯域音声コーデック（ワイドバンドスピーチコーデック）も知られている。拡張された周波数領域とは例えば５０Ｈｚ〜７０００Ｈｚの範囲である。広帯域音声コーデックは例えばＩＴＵ−Ｔ勧告Ｇ．７２９．ＥＶから公知である。
【０００６】
通常、広帯域音声コーデックに対する符号化プロセスはスケーラブルに構成されている。スケーラビリティとは、ここでは、伝送される符号化データが種々に区切られた複数のブロックを含み、各ブロックが狭帯域成分、広帯域成分および／または符号化音声信号の帯域幅全体を含むことを意味する。こうしたスケーラブルな構成により、一方では受信機側でのダウンリンク適合性が得られ、他方では、伝送チャネルのデータ伝送容量が制限されている場合にも、送信機側および受信機側で伝送されるデータフレームのデータレートおよびサイズを適合化するための簡単な手段が得られる。
【０００７】
コーデックによる伝送データレートを低減するために、ふつう、伝送すべきデータは圧縮される。圧縮は例えば音声データの符号化のために励起信号に対するパラメータとフィルタパラメータとを定めた符号化プロセスによって行われる。この場合、フィルタパラメータおよび励起信号に特有のパラメータは受信機に伝送され、そこでコーデックによって合成されて、主観的な聴取印象の点でもとの音声信号にできるかぎり似た音声信号が形成される。"合成分析（アナリシス・バイ・シンセシス）"と称されるこうしたプロセスにより、求められディジタル化されたサンプリング値そのものは伝送されず、受信機側で音声信号の合成を行うために求められたパラメータが伝送されるのである。
【０００８】
伝送データレートを低減する別の手段として、当技術分野には、不連続伝送法すなわちディスコンティニュアストランスミッションＤＴＸと称される手法も存在する。この手法の基本的な目的は会話の休止期間中に伝送データレートを低減することである。
【０００９】
このために、送信機側で、会話期間および休止期間の識別が行われ、これをボイスアクティビティディテクションＶＡＤと称する。これは、音声信号が所定の信号レベルを下回ったときに休止期間を識別するものである。
【００１０】
通常、受信機側の加入者は、休止期間のあいだ、完全な静寂状態を期待してはいない。むしろ、完全な静寂状態は、受信機側の加入者にとって、いらつきの原因となったり、接続切れを疑わせるものとなったりする。このため、いわゆる快適性雑音（コンフォートノイズ）を形成する手法が知られている。
【００１１】
快適性雑音とは、受信機側での静寂フェーズを埋めるために合成された雑音のことである。当該の快適性雑音は、音声信号の伝送のために設けられたデータレートに負荷をかけずに、コネクションが続行している主観的印象を形成するために用いられる。言い換えれば、送信機側での快適性雑音の符号化には、音声データの符号化に必要なコストよりも小さなコストしか必要でない。受信機側で実際に受信され合成される（すなわち復号化される）快適性雑音は低いデータレートのデータとして伝送される。ここで伝送されるデータは、当技術分野では、静寂状態挿入記述子ＳＩＤ（サイレンスインサーションディスクリプション）と称されている。
【００１２】
ただし、従来技術では、広帯域音声コーデック、例えばＩＴＵ−Ｔ規格Ｇ．７２９．１またはＧ．７２２．２、あるいは、３ＧＰＰ規格ＡＭＲ−ＷＢなどを用いた不連続伝送法を使用する際に、問題が発生する。これらのスケーラブル広帯域音声コーデックは、通常、帯域幅５０Ｈｚ〜７０００Ｈｚの種々のデータレートを支援している。
【００１３】
音声情報を符号化するための可能なデータレートは、例えば、規格Ｇ．７２９．１で用いられる８，１２，１４，１６，…，３２ｋｂｉｔ／ｓである。８ｋｂｉｔ／ｓおよび１２ｋｂｉｔ／ｓのデータレートは狭帯域５０Ｈｚ〜４ｋＨｚの信号へ適用される。１４ｋｂｉｔ／ｓ以上のデータレートはそれより上方の周波数帯域４ｋＨｚ〜７ｋＨｚの信号へ適用される。
【００１４】
伝送のあいだ、前述した各データレートを切り換えることができる。ただし、狭帯域のデータレートから広帯域のデータレートへの急激な切り換えは、周知のように、ヒトの耳にとって障害的な作用として聞こえる。こうした急激な移行は、例えば、送信機と受信機とのあいだの伝送網を介したデータストリームの削減すなわちビットストリームトランケイションの結果として、また、伝送網での付加的なコネクションやデータ渋滞（コンジェスション）の結果として、生じる。前述したデータストリームの削減はデータレートを変化させ、最終的には音声信号の伝送を広帯域から狭帯域へ移行させてしまうこともある。
【００１５】
エンコーダで不連続伝送法すなわちＤＴＸ法が行われる場合、各データフレームの伝送に対してデータレートの節約が可能である。ＤＴＸ法は、相応のフレームが休止期間であると識別された場合に適用される。ＤＴＸ法の適用時には、２つの係数に基づいて、伝送フレームについて低減されたデータレートが達成される。これは、第１に、エンコーダ側から非アクティブなフレームの全てをデコーダ側へ送信しなくてよいということであり、第２に、送信されるＳＩＤフレームないし非アクティブなフレームのビット数が音声データフレームのビット数よりも格段に小さいということである。
【００１６】
当該の方法では、会話期間および休止期間の識別ＶＡＤに対するエンコーダの関与が必要である。会話期間および休止期間の識別回路により、その時点のサンプリング値を含む符号化すべきフレームが音声信号を含む会話期間となるかあるいは背景雑音を含む休止期間となるかが送信側のエンコーダに報知される。こうした識別によって、エンコーダにおいて、非アクティブな音声フレームの知覚特性を求める措置が講じられる。知覚特性として、例えば、平均エネルギやスペクトル特性、時間特性などが挙げられる。
【００１７】
これに応じて、エンコーダは、特別なフレームであるＳＩＤフレームをデコーダへ送信する。デコーダはＳＩＤフレームに含まれる情報に基づいて快適性雑音を合成する。その際に、デコーダは、ＳＩＤフレームに含まれる雑音情報が狭帯域情報であるか広帯域情報であるかを求める。
【００１８】
広帯域のデータレートと狭帯域のデータレートとの切り換え、すなわち、ビットレートスイッチングは、スケーラブル広帯域音声コーデックの通常のシナリオの１つである。通常の会話フェーズすなわち休止がない場合のデータレートの切り換え処理は従来の技術文献に充分に説明されているが、ＤＴＸフェーズへの移行時のデータレートの切り換え処理はこれまで知られていない。
【００１９】
したがって、ＤＴＸフェーズ中またはＤＴＸフェーズへの移行時のデータレートの切り換え処理方法を実現し、ＤＴＸフェーズへの移行前または移行中の狭帯域のデータレートと広帯域のデータレートとの切り換えに最適に応答することに対する強い要求が存在する。
【００２０】
休止期間のあいだ、データレートの削減は不確実である。これは、ＳＩＤフレームのデータ占有すなわちビットストリームイロケーションで必要となるビット数が、通常のコーデック演算すなわち会話フェーズのみにおけるコーデック演算でのアクティブな音声データフレームのビット数よりも小さいためである。
【００２１】
ここから、アクティブな会話フェーズのあいだにデータレートを変更し、休止期間すなわちＤＴＸフェーズでは広帯域モードにとどめるシナリオが得られる。ヒトの耳あるいはデコーダ側の受信器にとってきわめて障害的に聞こえるのは、アクティブな音声フレームが狭帯域で復号化され、休止期間の背景雑音が広帯域で再生されるケースである。
【００２２】
このようなケースは、例えばエンコーダ側で伝送網により送信される音声データフレームが分断されるが、伝送網側では広帯域のＳＩＤフレームの伝送容量が充分に残っているような場合に、高い確率で生じる。
【００２３】
しかも、これまで、休止期間中にＳＩＤフレームのデータレートを切り換える手法は知られていない。従来の方法では、通常のコーデック動作において、アクティブな会話フェーズのあいだにしかデータレートを切り換えることができなかったのである。
【００２４】
したがって、本発明の課題は、ＳＩＤフレームのデータレートを休止期間中に切り換える手段を提供し、デコーダ側の合成信号の品質を改善することである。
【００２５】
この課題は、独立請求項に記載された特徴によって解決される。
【００２６】
本発明の基本的着想は、帯域幅切換特性（ビットレートスイッチング特性）についての情報をアクティブな会話フェーズ中に求めるということにある。なお、本発明で使用される音声信号符号化プロセスまたは音声信号コーデックのスケーラブル性とは、コーデックが帯域幅の切り換えを行う手段を有することを意味する。
【図面の簡単な説明】
【００２７】
【図１】複数の帯域幅切換回路を有する送受信機間でのデータレートの時間特性図である。
【図２】Ａには帯域幅切換回路の第１のシナリオが示されており、Ｂには帯域幅切換回路の第２のシナリオが示されている。
【図３】狭帯域から広帯域へほぼ一定に移行するデコーダ側の帯域幅切換回路の特性を示す図である。
【００２８】
本発明によれば、会話フェーズのあいだ、デコーダ側で、アクティブな狭帯域音声フレームに対するアクティブな広帯域音声フレームのパーセンテージ情報が形成される。言い換えれば、従来技術で行われてきたような、会話フェーズへの切り換え時点での背景雑音の特性情報の形成は行われない。アクティブな広帯域音声フレームの割合が大きいということは、コーデック側で広帯域が好ましいものとされ、ＤＴＸフェーズ中に雑音情報を広帯域で合成ないし復号化する必要があることを意味する。逆に、アクティブな広帯域音声フレームの割合が小さいのであれば、受信されたＳＩＤフレームから広帯域雑音の合成ないし復号化が可能であるとしても、デコーダ側ではＤＴＸフェーズへの移行時に狭帯域雑音を形成する必要があるのである。
【００２９】
本発明の方法によれば、休止期間中にＳＩＤフレームのデータレートの切り換えが可能となる。種々のデータレートを有する雑音情報を切り換えるために、本発明では、それぞれ異なるデータレートを有する雑音情報の所定の割合を精細に求めている。当該の割合は、任意の比での切り換えとは異なり、種々のデータレートを有する雑音情報間で調整可能である。
【００３０】
雑音信号の品質を広帯域または狭帯域の音声信号の品質へ調整および適合できることにより、信号全体すなわち雑音信号および音声信号の双方について、受信機側で信号品質をいちじるしく高めることができる。本発明の方法によれば、デコーダで合成される信号の品質が改善される。
【００３１】
本発明の方法の有利な実施形態は従属請求項に記載されている。
【００３２】
本発明の方法にしたがって、休止期間において雑音信号が所定の品質すなわち広帯域または狭帯域のいずれかで合成される場合、アクティブな会話フェーズの最後の幾つかのフレームにおいて伝送網側でアクティブなデータフレームの削減が起こる。
【００３３】
説明のために、使用されるコーデックが、広帯域の再生を好ましいものとし、伝送網によって過去に広帯域の伝送が優勢に保証されていたケースを考察する。この場合、最初のＳＩＤフレームが受信されるまでは、狭帯域の音声フレームとしてのアクティブな音声フレームは受信を行うデコーダには僅かしか到来しない。
【００３４】
ここで付加的な措置を講じなければ、最初の幾つかのＳＩＤフレームにおいて、狭帯域の音声信号から広帯域の音声信号への急激な移行が生じる。このような移行は、一般的な広帯域の受信条件への再調整にとって重要ではあるが、受信機では障害として受信される。
【００３５】
本発明の有利な実施形態では、ＤＴＸフェーズへの移行時に、まず、背景雑音情報が主として狭帯域で復号化され、設定可能な所定の時間が経過した後に、背景雑音情報が主として広帯域で復号化される。こうした移行は有利にはほぼ一定に行われる。つまり、個別の時点での所定の比率係数への移行がほぼ一定に調整される。
【００３６】
本発明の有利な別の実施形態では、迅速な切り換え（ファストスイッチング）が行われ、１００ｍｓの時間内で、比率係数０の狭帯域の雑音信号品質から比率係数１の広帯域の雑音信号品質へのほぼ一定の移行が行われる。こうした移行はデコーダ側で行われる。
【００３７】
特に有利には、ヒトの主観的な聴取印象に対して、次のような比率係数が有利であると判明している。すなわち、
ＤＴＸフェーズへの移行時、狭帯域雑音のみを表す比率係数０
ＤＴＸフェーズへ移行してから
２０ｍｓ経過した時点で比率係数０．０９５２５９８６８９２２４２
４０ｍｓ経過した時点で比率係数０．１９７５３０８６４１９７５３
６０ｍｓ経過した時点で比率係数０．３６５９５０３１２４５２３７
８０ｍｓ経過した時点で比率係数０．６２４２９５０７６９６９９７
１００ｍｓ経過した時点で広帯域雑音のみを表す比率係数１
へ設定される。
【００３８】
さらに、使用されるコーデックが、狭帯域の再生を好ましいものとし、伝送網によって過去に広帯域の伝送が保証されていなかったケースを考察する。この場合、最初のＳＩＤフレームが受信されるまでは、広帯域の音声フレームとしてのアクティブな音声フレームは受信を行うデコーダには僅かしか到来しない。
【００３９】
本発明の有利な別の実施形態では、ＤＴＸフェーズへの移行時に、まず、背景雑音情報が主として広帯域で復号化され、設定可能な所定の時間が経過した後に、背景雑音情報が主として狭帯域で復号化される。こうした移行は、前述した実施形態同様に有利にはほぼ一定に行われ、個別の時点での所定の比率係数への移行が調整される。
【００４０】
本発明の有利な別の実施形態では、迅速な切り換え（ファストスイッチング）が行われ、１００ｍｓの時間内で、比率係数１の広帯域の雑音信号品質から比率係数０の狭帯域の雑音信号品質へのほぼ一定の移行が行われる。こうした移行はデコーダ側で行われる。
【００４１】
広帯域雑音から狭帯域雑音へほぼ一定に移行させるには、前述した値の比率係数が逆順で設定される。
【００４２】
本発明の他の特徴および利点を実施例に則して詳細に説明する。
【００４３】
図１には、音声データフレームをそのつど所定のデータレートＤＲで伝送し、さらに第３の時点ｔ３からＳＩＤフレームを伝送することが示されている。
【００４４】
第１の時点ｔ１の前には、広帯域のアクティブな音声フレームが３２ｋｂｉｔ／ｓのデータレートで伝送されている。このデータレートは時点ｔ１から２２ｋｂｉｔ／ｓへ切り換えられており、第２の時点ｔ２からは１２ｋｂｉｔ／ｓへ切り換えられている。１２ｋｂｉｔ／ｓのデータレートは狭帯域の音声フレームに相応する。
【００４５】
第３の時点ｔ３で、送信機側の休止期間により、ＤＴＸフェーズへの移行が行われる。第３の時点ｔ３からＳＩＤフレームが所定の時間にわたって送信される。
【００４６】
第３の時点ｔ３から、前述した状況が生じる。すなわち、第２の時点ｔ２から第３の時点ｔ３までの時間に先行して狭帯域の音声信号が伝送され、時点ｔ３からＳＩＤフレームによる広帯域の雑音信号が利用されるというケースが生じる。ＳＩＤフレームが１フレーム当たり４３ビットの長さ、１回の送信当たり２０ｍｓの時間で送信される場合、データレートは４３ｂｉｔ／２０ｍｓ＝２．１５ｋｂｉｔ／ｓとなる。
【００４７】
この状況では、デコーダ側で直接に狭帯域音声信号から広帯域雑音信号へ不安定な移行が生じる。こうした急激な移行はヒトの感覚器官にとってきわめて障害的に感じられる。
【００４８】
図２Ａ，図２ＢにはデータレートＤＲの時間特性に対するシナリオが示されている。
【００４９】
図２Ａには、伝送網の制限または他の条件による制限のために、基本的に８ｋｂｉｔ／の狭帯域の伝送が行われ、第１の時点ｔ１から第２の時点ｔ２までの僅かな時間のあいだだけ広帯域の３２ｋｂｉｔ／ｓの伝送が行われることが示されている。
【００５０】
図２Ｂでは、図２Ａと逆に、基本的に３２ｋｂｉｔ／の広帯域の伝送が行われ、第４の時点ｔ４から第５の時点ｔ５までの僅かな時間のあいだだけ狭帯域の８ｋｂｉｔ／ｓの伝送が行われることが示されている。
【００５１】
以下では、図２Ａの第３の時点ｔ３および図２Ｂの第６の時点ｔ６をＤＴＸフェーズへの移行時点とする。
【００５２】
本発明の方法によれば、会話フェーズのあいだ、デコーダ側で、アクティブな狭帯域フレームに対するアクティブな広帯域フレームの割合に関する情報が形成される。
【００５３】
図２Ａの実施例ではアクティブな広帯域音声フレームのパーセンテージがきわめて小さく、図２Ｂの実施例ではアクティブな広帯域音声フレームのパーセンテージが大きい。
【００５４】
図２Ａの実施例の第３の時点ｔ３のＤＴＸフェーズへの移行時に、本発明の方法にしたがって狭帯域雑音が形成される。これは、第３の時点ｔ３以降に受信される図示されていないＳＩＤフレームによって広帯域雑音の合成が可能となるにもかかわらず行われる。
【００５５】
これに対して、図２Ｂの実施例の第６の時点ｔ６のＤＴＸフェーズへの移行時には、本発明の方法にしたがって、雑音情報が広帯域で合成される。
【００５６】
図３には、雑音信号品質ＨＢ−ＳＨＡＲＥが時間ＴＩＭＥに関して示されている。図３では、図２Ｂのシナリオに続いた雑音信号の形成が表されており、デコーダ側で求められたアクティブな広帯域音声フレームのパーセンテージに基づいて、ＤＴＸフェーズ中に雑音情報を広帯域で合成する必要があることが求められている。
【００５７】
図３によれば、ＤＴＸフェーズへの移行は時点０ｍｓで行われる。狭帯域音声信号から広帯域雑音信号への移行をほぼ一定に行う際に、ヒトの感覚器官での主観的な聴取印象にとって適切であると判明しているのは、この時点で専ら狭帯域信号を用いること、つまり、広帯域雑音の割合を０にすることである。時点１００ｍｓで広帯域雑音の割合は１（１００％）となる。時点０ｍｓでの狭帯域雑音信号のみの状態から時点１００ｍｓでの広帯域雑音信号のみの状態への移行をほぼ一定に行うには、ＤＴＸフェーズへ移行してからそれぞれ離散的に、
２０ｍｓ経過した時点（ＴＩＭＥ２０ｍｓ）で
ＨＢ−ＳＨＡＲＥ０．０９５２５９８６８９２２４２
４０ｍｓ経過した時点（ＴＩＭＥ４０ｍｓ）で
ＨＢ−ＳＨＡＲＥ０．１９７５３０８６４１９７５３
６０ｍｓ経過した時点（ＴＩＭＥ６０ｍｓ）で
ＨＢ−ＳＨＡＲＥ０．３６５９５０３１２４５２３７
８０ｍｓ経過した時点（ＴＩＭＥ８０ｍｓ）で
ＨＢ−ＳＨＡＲＥ０．６２４２９５０７６９６９９７
へ設定するのが適切であると判明している。
【００５８】
本発明の別の実施例として、広帯域音声信号から狭帯域雑音信号への移行を説明する。
【００５９】
このために、まず、図２Ａのシナリオを若干変更し、第３の時点ｔ３の直前に、図示されていないが、３２ｋｂｉｔ／ｓの広帯域伝送への切り換えを行うものとする。ここでの"ピーク"はあるものの、アクティブな広帯域音声フレームのパーセンテージはきわめて小さく、ＤＴＸフェーズへの移行時に、狭帯域伝送が優勢であった履歴に基づいて、ひいては、狭帯域の伝送特性の続行が将来期待されていることに基づいて、広帯域で開始されるが狭帯域の雑音信号へ移行する雑音信号が合成される。広帯域音声信号から狭帯域雑音信号への移行をほぼ一定に行うには、ＤＴＸフェーズへの移行時に、広帯域の信号のみでこれを開始する必要がある。つまり、広帯域雑音の割合を１とする。時点１００ｍｓで狭帯域雑音の割合は０となる。ＤＴＸフェーズへの移行時の広帯域雑音信号から１００ｍｓの時点での狭帯域雑音信号への移行を行う場合には、有利には、上掲したＨＢ−ＳＨＡＲＥの値を逆順で設定する。これらの値は図３のＨＢ−ＳＨＡＲＥの曲線に相応する。
【図１】
2011512564.tif 000003
【図２Ａ】
2011512564.tif 000004
【図２Ｂ】
2011512564.tif 000005
【図３】
2011512564.tif 000006
【国際調査報告】
2011512564.tif 000007
2011512564.tif 000008
2011512564.tif 000009
2011512564.tif 000010
2011512564.tif 000011
2011512564.tif 000012